(57)【要約】      （修正有）【課題】ペットの世話で一番大切な、身体をなで、櫛を使い毛並みを整える。櫛の歯の付け根部に付いた抜け毛が折り重なり一本の束になった抜け毛を取り除くのに、リズムを乱すことなく速やかに櫛から抜け毛を取り除くペットの抜け毛取り用具を提供する。【解決手段】部品１の底面部で、抜け毛が一本の束となり、うけ止める部品１を歯先へ移動と共に抜け毛も束で同じように歯先へ移動し、櫛から素早く抜け毛を取り除く事ができる、櫛に付ける部品１を設けた。【選択図】図４
2012005388.tif 000002
【特許請求の範囲】
【請求項１】
（イ）櫛、長辺の一方に一定の等間隔の切り込みが連続している、切り込みと切り込みの間の部分は櫛の歯と呼ぶ。
（ロ）櫛の歯は一列に並んでいる、櫛の歯の部分に、体積のある部品（１）を挿通できるように部品（１）に細長い中空長方形（あ）を設けた部品（１）。
（ハ）櫛の歯の付け根部分まで挿通できるように貫通空洞である。
以上のごとく構成された櫛に付ける部品（１）。
以下櫛の歯を歯と記載する部分もある。
【発明の詳細な説明】
【技術分野】
【０００１】
本発明はペットの櫛に関するものである。
【背景技術】
【０００２】
ペット、櫛で毛並みを整える、抜け毛が歯と歯の隙間でからまり一本の束に、櫛に付いた抜け毛を取り除くのに指先でつまんで何回かに分けて歯先へ移動させて取り除く。
【０００３】
従来技術について説明する。
毛並みを整える道具には、櫛とブラシの二種類があります。
（１）櫛は、長辺の一方に一定の等間隔の切り込みが連続している。
（２）ブラシ、平面上に一定間隔で串状の物及び毛の束が複数列立ちならんでいる。
櫛とブラシの使用部を見比べると櫛は線でありブラシは面である。
櫛とブラシとでは形状及び製造方法も異なる。
【０００４】
ブラシにおける抜け毛除去。
離脱可能な、複数枚の除去シート。
【先行技術文献】
【特許文献】
【０００５】
【特許文献１】特開２００８−２７９０９７号公報
【発明の概要】
【発明が解決しようとする課題】
【０００６】
従来技術はブラシを使った除去で、一定間隔で串状の物及び毛の束が複数列立ちならぶ、串状及び毛の束にあわせて除去シートに穴をあけなければならない問題点がある。
消耗品であり常に補充が必要である。
【０００７】
櫛に付いた、抜け毛を、部品（１）の移動により素早く取り除くことができ挿脱可能な部品（１）で何回も使用可能である事などが特徴とする、櫛に付いた抜け毛取り除き部品（１）。
【課題を解決するための手段】
【０００８】
櫛は、長辺の一方に等間隔に切り込みが連続している、歯と隙間である。
櫛の歯が一列に並んでいることを利用して部品（１）は歯全体を挿通できる挿通部分(a)、細長い中空長方形（あ）を設けて挿着して毛並みを整える、櫛に付いた抜け毛は、部品（１）を歯先へ移動することで抜け毛も移動して取り除くことができる。
【発明の効果】
【０００９】
本考案は、櫛に付ける部品である、櫛の歯の付け根まで部品（１）を挿通して使う。
毛並みを整える、部品（１）の上面部より櫛の歯を細長い中空長方形（あ）に挿入、底面部から突き出た歯、この突き出た歯に抜け毛が歯と歯の隙間で、抜け毛と抜け毛がからまって部品（１）の底面部で一本の束になり部品（１）を歯先へ移動と共に抜け毛の束も同じように歯先へ移動、櫛から素早く取り除くことができる。
櫛で毛並みを整えることにより皮膚の血行促進や毛玉防止、毛の根元に空気を送り込むことで表皮の蒸れ防止と皮膚病予防の効果で常にペットにふれて櫛で毛並みを整える事が大切である。
いままでは、抜け毛を取り除くのに指先でつまんで何回かに分けて歯先へ移動させて取り除ていた、部品（１）により素早く取り除く事ができ、リズミカルに毛並みを整える事ができる。
そこで部品（１）を櫛に付けることにより素早く抜け毛を簡単に取り除く事ができる挿脱可能な部品（１）である。
【図面の簡単な説明】
【００１０】
【図１】部品（１）上面部Ａ−Ａ平面図
【図２】部品（１）底面部Ｂ−Ｂ平面図
【図３】部品（１）のＣ−Ｃ断面図
【図４】部品（１）を櫛に挿着  側面図
【図５】部品（１）を櫛に挿着  正面図
【図６】部品（１）を櫛に挿着  Ｄ−Ｄ断面図
【図７】部品（１）上面部Ａ−Ａ平面図と斜視図
【図８】部品（１）を櫛に挿着  部分斜視図
【発明を実施するための形態】
【００１１】
以下、本発明の実施の形態を図面にもとづいて説明する。
【００１２】
図１、本考案の部品（１）の上面部Ａ−Ａ平面図。
溝、櫛の歯の付け根部分を隠す。
溝は短辺方向の中心より溝幅の１／２ずつ振り分けて部品（１）の長辺方向の端から端まで溝とする、溝幅は歯の付け根の厚み・形状にあわす。
細長い中空長方形（あ）は溝の中に設ける、溝幅の１／２を中心に歯の付け根の太い部分の寸法を振り分けて、櫛の歯が挿通できるように細長い中空長方形（あ）は上面部から底面部まで空洞とする。  
【００１３】
図２、底面部Ｂ−Ｂ平面図に挿通部分（a）とは、櫛の歯は長辺の一方に一定の等間隔に切り込みが連続している部分を挿通部分（a）である。
細長い中空長方形（あ）と挿通部分（a）は同じ長さである。
図１・図２にＣ−Ｃと断面図３の表現位置を表示である。
【００１４】
図３、Ｃ−Ｃ断面図、部品（１）短辺方向の断面である。
断面は丸い形だが体積を有する材料であればよい。
上面部Ａ−Ａは図１で底面部Ｂ−Ｂは図２、各図の表現位置の表示である。
図１、図２での溝と中空長方形（あ）の位置については、溝幅は歯の付け根の厚み、中空長方形（あ）の幅は歯の付け根の太い部分の寸法を各、短辺方向の中心を基準とした１／２ずつ振り分けての溝幅と中空長方形（あ）の空洞の位置をきめる、上面部から底面部までの溝から中空長方形（あ）への貫通空洞断面図である、櫛の歯が挿通する部分です。
【００１５】
図６、長辺方向の断面図、部品（１）を櫛に挿着した状態での断面図ある。
櫛の歯の付け根まで挿通できる細長い中空長方形（あ）は挿通部分（a）である。
部品（１）上面部の細長い中空長方形（あ）から挿入した櫛の歯が底面部から突き出た歯と歯の隙間で抜け毛と抜け毛がからまり一本の束になり、部品（１）を歯先へ移動と共に抜け毛の束も同じように歯先へ移動して櫛から素早く抜け毛の束を取り除くことができる挿脱可能な部品（１）である。
【実施例】
【００１６】
部品（１）を挿着した櫛、細い棒を部品（１）に取り付ける、歯と歯の隙間を貫くように、歯に直角に、細い棒は短辺方向の長さとする。
【００１７】
握り部分の無い櫛には、部品（１）に握り部分を設けて部品（１）を兼ね備えて櫛を使いやすく握り付きの部品（１）とする。
部品（１）の溝の両内側にＬ型溝を彫り、櫛の方には歯の付け根部分にＬ型溝に合う突出を設ける、挿通部分（a）を突出の移動分だけ長く
【００１８】
線香状に加工した消臭線香を挿入。
部品（１）の片方の端の面に線香の挿入のできる穴を設ける、穴の位置は中空長方形（あ）の貫通方向の空洞を中心として短辺方向に振り分け、部品（１）の外面寄りに２              
カ所設ける、細長い消臭線香を挿入する空洞は貫通の手前で止め、行き止まりの空洞として設ける。
この空洞に窓を設ける、部品（１）の表面を削り取り窓をとする。
窓の設けかたは、空洞に平行に削り取る、挿入した線香が窓から落ちないように削り取った窓。
窓の主旨は動物特有の表面の臭いを線香状に加工した消臭線香を挿入して窓からの毛との接触による臭を取り除く効果。
【符号の説明】
【００１９】
（１）  部品
（あ）  中空長方形
（a）   挿通部分
【図１】
2012005388.tif 000003
【図２】
2012005388.tif 000004
【図３】
2012005388.tif 000005
【図４】
2012005388.tif 000006
【図５】
2012005388.tif 000007
【図６】
2012005388.tif 000008
【図７】
2012005388.tif 000009
【図８】
2012005388.tif 000010